(57)【要約】【課題】ジョブ情報を読み出す際の通信負荷の低減を図り、ジョブ情報の読み出しの迅速化を図ること。【解決手段】複数の項目に対応する複数の項目データからなるジョブ履歴データを複数記憶しているＨＤＤ１３と、ジョブ履歴例データから読み出すべき対象項目番号が設定されている定義ファイルを記憶する不揮発メモリ１１と、ジョブ履歴データの読み出し指示が入力される操作部１４又は通信部１８と、ジョブ履歴データの読み出し指示が入力された場合、定義ファイルに設定された対象項目番号に対応する項目データを抽出し、当該抽出した項目データを出力させる制御部１０と、画像形成装置１。【選択図】図２
2008305155.tif 000002
【特許請求の範囲】
【請求項１】
複数の項目に対応する複数の項目データからなるジョブ情報を複数記憶している第１記憶手段と、
前記ジョブ情報から読み出すべき前記項目が設定されている読出定義情報を記憶する第２記憶手段と、
前記ジョブ情報の読み出し指示が入力される入力手段と、
前記入力手段によりジョブ情報の読み出し指示が入力された場合、前記読出定義情報に設定された項目に対応するジョブ情報の項目データを抽出し、当該抽出した項目データを出力させる制御手段と、
を備える画像形成装置。
【請求項２】
前記第２記憶手段は、
前記読出定義情報を複数記憶しており、
前記入力手段は、
前記第２記憶手段に記憶されている複数の前記読出定義情報のうちいずれかの前記読出定義情報の選択指示が入力され、
前記制御手段は、
前記入力手段により入力された前記読出定義情報に設定された項目に対応するジョブ情報の項目データを抽出し、当該抽出した項目データを出力させる、
請求項１に記載の画像形成装置。
【請求項３】
前記読出定義情報は、
前記項目に対応する前記項目データを文字列に変換する変換テーブル、前記項目データの表示言語、前記表示言語に基づく前記項目データの表示形式、を含み、
前記入力手段は、
読み出す前記ジョブ情報を出力先で表示させるか否かの指示が入力され、
前記制御手段は、
前記入力手段により前記ジョブ情報を出力先で表示させるか否かの指示が入力された場合、前記変換テーブル、前記表示言語、前記表示形式を前記抽出した項目データと共に出力させる、
請求項１又は２に記載の画像形成装置。
【請求項４】
前記第１記憶手段は、
日付単位で前記ジョブ情報が分別されたジョブ情報群を複数記憶しており、
前記入力手段は、
読み出す前記ジョブ情報の日付の指示が入力され、
前記制御手段は、
前記入力手段により入力された前記日付に対応する前記ジョブ情報群を構成する前記ジョブ情報に対して、前記読出定義情報に設定された項目に対応するジョブ情報の項目データを抽出し、当該抽出した項目データを出力させる、
請求項１から３のいずれか一項に記載の画像形成装置。
【請求項５】
外部装置と通信可能な通信手段を備え、
前記制御手段は、
前記抽出された項目データを前記通信手段を介して前記外部装置に出力する、
請求項１から４のいずれか一項に記載の画像形成装置。
【発明の詳細な説明】
【技術分野】
【０００１】
本発明は、画像形成装置に関する。
【背景技術】
【０００２】
近年、プリンタ、スキャナ、ファクシミリ、複写機又はこれらの画像形成機能、複写機能、スキャン機能及びファックス機能等の種々の機能が搭載されたＭＦＰ（Multi Function Printer）等の画像形成装置が知られている。
【０００３】
画像形成装置が実行するジョブの情報（以下、ジョブ情報）は、実行が完了したジョブのジョブ情報をメモリに記憶させ、当該ジョブ情報をユーザの用途や予め定められた項目に従って集計し、この集計結果を表示したりジョブ情報の履歴を表示したりすることを目的として管理されている。
【０００４】
例えば、クライアントコンピュータからジョブ情報を集計する際の集計項目が設定され、ジョブログ記録部に記録されたジョブ情報から設定された集計項目に基づいてジョブ情報を取得し、取得したジョブ情報に含まれる履歴情報を集計し、集計した履歴情報の集計結果をクライアントコンピュータに出力することにより、クライアントコンピュータからプリンタに出力されたジョブ情報を管理するジョブアカウントサーバ、が開示されている（特許文献１参照）。
【特許文献１】特開２００４−１７８３２５号公報
【発明の開示】
【発明が解決しようとする課題】
【０００５】
しかしながら、特許文献１では、ジョブ情報を画像形成装置の外部に設けられた外部装置に保存させ、当該外部装置においてジョブ情報を管理させている。近年のジョブ情報は膨大な項目から構成されているため、１件のジョブ情報の容量が大きい。このため、外部装置にジョブ情報をネットワークを介して送信し書き込む場合、通信負荷が大きくなるという問題がある。また、外部装置からジョブ情報を読み出す場合、ユーザが必要としない項目も含む全ての項目のジョブ情報を読み出すため、無駄な通信負荷が発生するという問題がある。
【０００６】
本発明の課題は、上記問題に鑑みて、ジョブ情報を読み出す際の通信負荷の低減を図り、ジョブ情報の読み出しの迅速化を図ることである。
【課題を解決するための手段】
【０００７】
請求項１に記載の発明によれば、複数の項目に対応する複数の項目データからなるジョブ情報を複数記憶している第１記憶手段と、前記ジョブ情報から読み出すべき前記項目が設定されている読出定義情報を記憶する第２記憶手段と、前記ジョブ情報の読み出し指示が入力される入力手段と、前記入力手段によりジョブ情報の読み出し指示が入力された場合、前記読出定義情報に設定された項目に対応するジョブ情報の項目データを抽出し、当該抽出した項目データを出力させる制御手段と、を備えた画像形成装置が提供される。
【０００８】
請求項２に記載の発明によれば、請求項１に記載の画像形成装置において、前記第２記憶手段は、前記読出定義情報を複数記憶しており、前記入力手段は、前記第２記憶手段に記憶されている複数の前記読出定義情報のうちいずれかの前記読出定義情報の選択指示が入力され、前記制御手段は、前記入力手段により入力された前記読出定義情報に設定された項目に対応するジョブ情報の項目データを抽出し、当該抽出した項目データを出力させる。
【０００９】
請求項３に記載の発明によれば、請求項１又は２に記載の画像形成装置において、前記読出定義情報は、前記項目に対応する前記項目データを文字列に変換する変換テーブル、前記項目データの表示言語、前記表示言語に基づく前記項目データの表示形式、を含み、前記入力手段は、読み出す前記ジョブ情報を出力先で表示させるか否かの指示が入力され、前記制御手段は、前記入力手段により前記ジョブ情報を出力先で表示させるか否かの指示が入力された場合、前記変換テーブル、前記表示言語、前記表示形式を前記抽出した項目データと共に出力させる。
【００１０】
請求項４に記載の発明によれば、請求項１から３のいずれか一項に記載の画像形成装置において、前記第１記憶手段は、日付単位で前記ジョブ情報が分別されたジョブ情報群を複数記憶しており、前記入力手段は、読み出す前記ジョブ情報の日付の指示が入力され、前記制御手段は、前記入力手段により入力された前記日付に対応する前記ジョブ情報群を構成する前記ジョブ情報に対して、前記読出定義情報に設定された項目に対応するジョブ情報の項目データを抽出し、当該抽出した項目データを出力させる。
【００１１】
請求項５に記載の発明によれば、請求項１から４のいずれか一項に記載の画像形成装置において、外部装置と通信可能な通信手段を備え、前記制御手段は、前記抽出された項目データを前記通信手段を介して前記外部装置に出力する。
【発明の効果】
【００１２】
請求項１に記載の発明によれば、読出定義情報に設定されている項目に対応する項目データがジョブ情報として出力されるため、無駄な項目データを出力させることなく必要な項目データのみを出力させることができ、ジョブ情報を読み出す際の通信負荷の低減を図ることができ、ジョブ情報の読み出しの迅速化を図ることができる。
【００１３】
請求項２に記載の発明によれば、請求項１と同様の効果を得られるのは勿論のこと、複数の読出定義情報から読出定義情報を選択できるため、読み出すジョブ情報の用途等によって抽出したい項目データを変更することができ、ジョブ情報の読み出しの制御性を向上することができる。
【００１４】
請求項３に記載の発明によれば、請求項１又は２と同様の効果を得られるのは勿論のこと、ジョブ情報を出力先で表示させることができる。
【００１５】
請求項４に記載の発明によれば、請求項１から３のいずれか一項と同様の効果を得られるのは勿論のこと、ジョブ情報が日付単位で集まったジョブ情報群毎に記憶されているため、容易にジョブ情報を日付単位で読み出すことができ、通信負荷を低減させることができる。
【００１６】
請求項５に記載の発明によれば、請求項１から４のいずれか一項と同様の効果を得られるのは勿論のこと、ジョブ情報として抽出された項目データを外部装置に出力することができるため、外部装置との通信負荷の低減及び読み出しの迅速化を図ることができる。
【発明を実施するための最良の形態】
【００１７】
以下、図を参照して本発明の実施の形態を詳細に説明する。
まず、構成を説明する。
図１に、本実施の形態における画像形成システムＡの構成図を示す。
【００１８】
図１に示すように、画像形成システムＡは、画像形成装置１と外部装置２とを備え、各装置はネットワークＮを介して相互に情報の送受信が可能に接続されている。なお、図１には、３台の画像形成装置１と１台の外部装置２が接続された例を示したが、各装置の設置台数は特に限定しない。
【００１９】
画像形成装置１は、ブラウザで閲覧するコンテンツを提供したりブラウザを用いて操作画面を閲覧したりするためのソフトウェアがインストールされており、画像形成機能とブラウザ及びウェブサーバとしての機能とを併せ持ち、画像形成装置１本体に設けられた操作部からの操作指示又はネットワークＮを介して送信される外部装置２等からの操作指示に従って処理を行う装置である。画像形成装置１としては、例えば、複写機、プリンタ、ファクシミリ及びこれらの複合機（ＭＦＰ）等が適用可能である。
【００２０】
外部装置２は、画像形成装置１を遠隔監視又は操作することを目的として、例えば、ブラウザを用いて画像形成装置１の操作画面を閲覧し、この操作画面上で行う操作指示を画像形成装置１へ送信する装置である。例えば、汎用のＰＣ等の情報処理装置が適用可能である。なお、本実施の形態においては、複数の画像形成装置１を遠隔操作する場合も想定して外部装置２を設けた構成とするが、外部装置２を設けない構成であってもよい。
【００２１】
ネットワークＮは、ＬＡＮ（Local Area Network）、ＷＡＮ（Wide Area Network）としてもよく、また、電話回線網、ＩＳＤＮ（Integrated Services Digital Network）回線網、広帯域通信回線網、専用線、移動体通信網、通信衛星回線、ＣＡＴＶ（Community Antenna Television）回線、光通信回線、無線通信回線等と、それらを接続するインターネットサービスプロバイダなどを含む構成でもよい。
【００２２】
次に、画像形成装置１について説明する。
図２に、本実施の形態における画像形成装置１の内部構成を示す。
図２に示すように、画像形成装置は、制御部１０、不揮発メモリ１１、ＲＡＭ（Random Access Memory）１２、ＨＤＤ（Hard Disk Drive）１３、操作部１４、表示部１５、画像メモリ１６、画像処理部１７、通信部１８、画像読取部２０、プリント部３０等を備え、各部は互いに電気的に接続されている。
【００２３】
制御部１０は、ＣＰＵ（Central Processing Unit）等を備え、不揮発メモリ１１に記憶されているシステムプログラム、各種制御プログラム、各種データをＲＡＭ１２内に展開し、これらのプログラム及びデータとの協働により、画像形成装置１を構成する各部を統括的に制御する。
【００２４】
また、制御部１０は、実行が完了したジョブのジョブデータを含み、複数の項目に対応する複数の項目データからなるジョブ情報（以下、ジョブ履歴データ）を読み出す指示が操作部１４又は通信部１８を介して接続された外部装置２により入力された場合、不揮発メモリ１１に記憶されている後述する定義ファイルに設定された項目に対応するジョブ履歴データの項目データを抽出し、当該抽出した項目データを出力させるジョブ履歴データ出力処理を実行する制御手段としての機能を実現する。
【００２５】
制御部１０は、ジョブ履歴データ出力処理を実行する際、操作部１４又は外部装置２により、複数の定義ファイルのうちいずれか一つの定義ファイルの選択指示、読み出すジョブ履歴データを出力先で表示させるか否かの指示、読み出すジョブ履歴データの日付の指示、が入力された場合、入力された日付に対応するジョブ履歴データに対して、選択された定義ファイルに設定された項目に対応するジョブ履歴データの項目データを抽出して出力すると共に、後述する定義ファイルに含まれる表示変換テーブル、表示形式部（表示言語及び表示形式）を表示部１５又は外部装置２に出力させる。
【００２６】
不揮発メモリ１１は、ＲＯＭ（Read Only Memory）やＨＤＤ等の不揮発性のメモリを備え、制御部１０により実行されるシステムプログラム、各種制御プログラム、ジョブ履歴データ出力処理を実行するためのプログラム、これらのプログラムに係るデータや読出定義情報としての定義ファイル等を記憶する第２記憶手段としての機能を実現している。
【００２７】
図３に、定義ファイルの構成例を示す。
図３に示すように、定義ファイル１１０は、表示変換テーブル部１１１、ジョブ履歴データ生成部１１２、ジョブ履歴データから読み出す項目を識別する番号（以下、対象項目番号）が設定されている対象項目番号部１１３ａを含む表示形式部１１３から構成されている。
【００２８】
表示変換テーブル部１１１は、各対象項目番号及び当該対象項目番号に対応する項目データが示す数値を文字列に変換する変換テーブルである。例えば、対象項目番号が０４、当該対象項目番号に対応する項目データが１又は２である場合、０４の対象項目番号は電源を示し、１の項目データはＯＮ、２の項目データはＯＦＦを示す。即ち、０４の対象項目番号の項目データが１の場合、電源ＯＮ、０４の対象項目番号の項目データが２の場合電源ＯＦＦに変換される。
【００２９】
ジョブ履歴データ生成部１１２は、ジョブ履歴データから抽出される各項目の項目データが保存される領域である。
【００３０】
表示形式部１１３は、読み出すべき項目の対象項目番号が設定されている対象項目番号部１１３ａ、対象項目番号部１１３ａに設定されている対象項目番号に対応する項目データの表示言語（例えば、ｈｔｍｌ）、表示言語に基づく項目データの表示形式が定義されている。
【００３１】
この定義ファイル１１０は、予め設定され、又は、項目番号の設定指示を操作部１４又は外部装置２により受け付け、受け付けられた当該項目番号をジョブ履歴データから読み出す対象項目番号として設定する指示を受け付けた場合に生成され、不揮発メモリ１１に記憶されている。
【００３２】
ＲＡＭ１２は、制御部１０によって実行される各種プログラム及びこれらに係るデータを一時的に記憶するワークエリアを形成すると共に、予約され実行が完了していないジョブのジョブデータが記憶される予約ジョブ管理領域、実行が完了したジョブのジョブデータがジョブ履歴データとして記憶されるジョブ履歴管理領域、ＨＤＤ１３に記憶するジョブ履歴データが予め設定された数だけ一時的に記憶される中間バッファを有している。
【００３３】
ＨＤＤ１３は、日付単位でジョブ履歴データが分別されたジョブ情報群としての履歴ファイルを複数記憶している第１記憶手段としての機能を実現しており、ＲＡＭ１２よりもジョブ履歴データを記憶する容量が大きく不揮発性のメモリである。なお、本実施の形態においては、第１記憶手段としてＨＤＤ１３を挙げて説明するが、これに限らない。
【００３４】
図４に、ＨＤＤ１３に記憶されている履歴ファイル１３０ａ、１３０ｂ、１３０ｃ、１３０ｄ・・・の例を示し、図５に、図４に示す履歴ファイル１３０ｂ内のデータ構成例を示す。
【００３５】
図４に示すように、ＨＤＤ１３内には、日付単位でジョブ履歴データが格納された履歴ファイル１３０ａ、１３０ｂ、１３０ｃ、１３０ｄ・・・が複数記憶されている。
【００３６】
図５に示すように、履歴ファイル１３０ｂは、複数のジョブ履歴データと画像形成装置１の電源のＯＮ／ＯＦＦの情報とが時系列で記憶されており、各ジョブ履歴データは、各項目番号に対応する項目データから構成されている。なお、電源のＯＮ／ＯＦＦの情報も、ジョブ履歴データとして扱われるものである。項目番号は、ジョブ履歴データを構成する項目を識別する番号であり、例えば、０１はジョブの識別番号、０２は出力された用紙の枚数、０３は出力された用紙の部数等を示しており、各項目番号に対応する項目データは、各項目に対するジョブの状態や結果等を示している。
【００３７】
操作部１４は、コピースタートキー、テンキー等の各種操作ハードキーを備え、これらの操作ハードキーの操作信号を制御部１０に出力する。また、操作部１４は、表示部１５のＬＣＤを覆うように設けられたタッチパネルを有し、電磁誘導式、磁気歪式、感圧式等の座標読み取り原理でタッチ指示された座標を検出し、検出した座標を制御部１０に出力することにより、表示部１５に表示された画面上において、ＨＤＤ１３に記憶されているジョブ履歴データを読み出す指示、当該読み出すジョブ履歴データの日付の指示、複数の定義ファイル１１０のうちいずれか一つ定義ファイル１１０を選択する指示、出力先でジョブ履歴データを表示させるか否かの指示、が入力される入力手段としての機能を実現する。
【００３８】
表示部１５は、ＬＣＤ（Liquid Crystal Display）等の表示画面と、表示画面上に操作画面を表示させるためのデータを一時的に記憶するＶＲＡＭ等を備え、制御部１０からＶＲＡＭに書込まれたデータに従って、所要の各種画面の表示を行う。また、表示部１５は、制御部１０からの指示に従って、抽出されたジョブ履歴データの項目データを表示する機能を実現する。
【００３９】
画像メモリ１６は、ＤＲＡＭ（Dynamic RAM）により構成され、圧縮された画像データを一時的に記憶する圧縮メモリと、印刷出力前にプリント出力対象の非圧縮の画像データを一時的に格納するページメモリとを有する。
【００４０】
画像処理部１７は、制御部１０の指示に基づいて、画像読取部２０から出力された画像データや通信部１８を介して送信された画像データを圧縮して、画像メモリ１６の圧縮メモリに圧縮画像データとして書き込んで一時的に記憶させる。
【００４１】
通信部１８は、ＮＩＣやモデム、ＵＳＢ等の各種インターフェースを備えて構成され、ネットワークＮ上の外部機器と相互に情報の送受信を行う。
また、通信部１８は、ネットワークＮを介して接続された外部装置２から送信される、ＨＤＤ１３に記憶されているジョブ履歴データを読み出す指示、当該読み出すジョブ履歴データの日付の指示、複数の定義ファイル１１０のうちいずれか一つ定義ファイル１１０を選択する指示、出力先で表示させるか否かの指示、を受信することにより入力される入力手段としての機能を実現すると共に、制御部１０からの指示に従って、抽出されたジョブ履歴データの項目データや、選択された定義ファイル１１０の表示変換テーブル部１１１、表示形式部１１３を外部装置２に送信する機能を実現する。
【００４２】
画像読取部２０は、コンタクトガラスの下部に、光源、ＣＣＤ（Charge Coupled Devices）等の光電変換素子等を備えて構成され、コンタクトガラス上に載置された原稿を光走査し、その反射光をＣＣＤにより光電変換後、デジタル変換してその原稿の画像データを取得する。
【００４３】
プリント部３０は、各種類の用紙を給紙する給紙部（不図示）を備え、制御部１０によりプリント指示されページメモリに格納された画像データに基づいて、指定された用紙上に画像の形成を行う。なお、画像形成方式は、電子写真方式、インクジェット方式等の何れの方式であってもよい。
【００４４】
次に、本実施の形態の動作を説明する。
図６に、本実施の形態におけるジョブ履歴データ出力処理のフローチャートを示す。
なお、図６に示す処理は、制御部１０と不揮発メモリ１１に記憶されているジョブ履歴データ出力処理のプログラム、選択された定義ファイル１１０、ＲＡＭ１２、ＨＤＤ１３等との協働により実行されるものである。
【００４５】
制御部１０は、操作部１４又は通信部１８を介して接続された外部装置２から、リクエストが入力されることにより受け付ける（ステップＳ１）。このリクエストとは、ジョブ履歴データを読み出す指示、読み出すジョブ履歴データの日付の指示、定義ファイル１１０の選択指示、読み出したジョブ履歴データを表示させるか否かの指示、を含むものである。
【００４６】
制御部１０は、ステップＳ１において受け付けたリクエストに含まれる日付に該当する履歴ファイルをＨＤＤ１３から検索し、検索された履歴ファイルに格納されているジョブ履歴データを、読み出す際に参照するジョブ履歴データとして確定する（ステップＳ２）。
【００４７】
制御部１０は、ステップＳ１において受け付けられたリクエストに、ジョブ履歴データを表示させる指示があるか否かを判別し（ステップＳ３）、表示させる指示がない場合（ステップＳ３；Ｎｏ）、例えば、ジョブ履歴データを読み出してダウンロードする場合、ステップＳ５に進む。
【００４８】
制御部１０は、ジョブ履歴データを表示させる指示がある場合（ステップＳ３；Ｙｅｓ）、ステップＳ１において受け付けられ選択された定義ファイル１１０を構成する表示変換テーブル部１１１を出力先へ出力させる（ステップＳ４）。
なお、本実施の形態における出力先とは、操作部１４からリクエストを受け付けた場合には表示部１５、外部装置２からリクエストを受け付けた場合には外部装置２とするが、これに限らない。
【００４９】
制御部１０は、ステップＳ１において受け付けられ選択された定義ファイル１１０を構成する対象項目番号部１１３ａを参照し（ステップＳ５）、ステップＳ２において確定された各ジョブ履歴データの項目データのうち当該対象項目番号に対応する項目データを抽出し、抽出した項目データを出力先へ出力させる（ステップＳ６）。
【００５０】
制御部１０は、ステップＳ１において受け付けられたリクエストに、ジョブ履歴データを表示させる指示があるか否かを判別し（ステップＳ７）、表示させる指示がない場合（ステップＳ７；Ｎｏ）、例えば、ジョブ履歴データを読み出してダウンロードする場合、本処理を終了する。
【００５１】
制御部１０は、ジョブ履歴データを表示させる指示がある場合（ステップＳ７；Ｙｅｓ）、ステップＳ１において受け付けられ選択された定義ファイル１１０を構成する表示形式部１１３を出力先へ出力させ（ステップＳ８）、本処理を終了する。
【００５２】
なお、ステップＳ４、６、８における出力処理は、連続して実行されるものであることから、表示変換テーブル部１１１、項目データ、表示形式部１１３は、出力先からみた場合、一括して入力されるようにみえるものである。
【００５３】
図７に、ジョブ履歴データから項目データを抽出する場合の動作の概念図を示す。
図７に示すように、受け付けたリクエストに含まれる日付（ここでは、２００７／０４／２６）に該当する履歴ファイル１３０ｂがＨＤＤ１３から検索される。
【００５４】
この履歴ファイル１３０ｂに格納されている複数のジョブ履歴データが、読み出されるジョブ履歴データとして確定されることとなる。
【００５５】
そして、選択された定義ファイル１１０を構成する対象項目番号部１１３ａが参照され、履歴ファイル１３０ｂの各ジョブ履歴データの項目データのうち当該対象項目番号、ここでは、０２、０３、９７、９８に対応する項目データが抽出される。
【００５６】
対象項目番号に対応する項目データ（即ち、抽出された項目データ）からなる複数のジョブ履歴データ１３１ｂが、出力先へ出力されることとなる。
【００５７】
このように、本実施の形態によれば、定義ファイルに設定されている対象項目番号に対応する項目データがジョブ履歴データとして出力されるため、無駄な項目データを出力させることなく必要な項目データのみを出力させることができ、ジョブ履歴データを読み出す際の通信負荷の低減を図ることができ、ジョブ履歴データの読み出しの迅速化を図ることができる。
【００５８】
また、リクエストを受け付ける際に、ユーザが複数の定義ファイル１１０から本処理に使用する定義ファイル１１０を選択指示できるため、読み出すジョブ履歴データの用途等によって抽出したい項目データを変更することができ、ジョブ履歴データの読み出しの制御性を向上することができる。
【００５９】
更に、リクエストを受け付ける際にジョブ履歴データを表示させる指示を受け付けた場合、項目データを表示させるために必要な情報（表示変換データ部、表示形式部）を出力することができるため、ジョブ履歴データを構成する項目データを出力先で表示させることができる。
【００６０】
ジョブ履歴データは、日付単位で分別された履歴ファイル毎にＨＤＤ１３に記憶されているため、リクエストを受け付ける際に読み出すジョブ履歴データの日付の指示がある場合には、ジョブ履歴データを容易に日付単位で読み出すことができ、通信負荷を低減させることができる。
【００６１】
また、ジョブ履歴データとして抽出された項目データを通信部１８を介して外部装置２に出力することができるため、外部装置２へジョブ履歴データを送信する際の通信負荷の低減及び読み出しの迅速化を図ることができる。
【００６２】
また、本発明は、上記実施の形態の内容に限定されるものではなく、本発明の主旨を逸脱しない範囲で適宜変更可能である。
【図面の簡単な説明】
【００６３】
【図１】本実施の形態における画像形成システムの構成図である。
【図２】本実施の形態における画像形成装置の内部構成を示す図である。
【図３】定義ファイルの構成例を示す図である。
【図４】ＨＤＤに記憶されている履歴ファイルの例を示す図である。
【図５】履歴ファイル内のデータ構成例を示す図である。
【図６】本実施の形態におけるジョブ履歴データ出力処理のフローチャートを示す図である。
【図７】ジョブ履歴データから項目データを抽出する動作の概念図を示す図である。
【符号の説明】
【００６４】
１  画像形成装置
２  外部装置
１０  制御部
１１  不揮発メモリ
１２  ＲＡＭ
１３  ＨＤＤ
１４  操作部
１５  表示部
１６  画像メモリ
１７  画像処理部
１８  通信部
２０  画像読取部
３０  プリント部
１１０  定義ファイル
１１１  表示変換テーブル部
１１２  ジョブ履歴データ生成部
１１３  表示形式部
１１３ａ  対象項目番号部
１３０ａ、１３０ｂ、１３０ｃ、１３０ｄ・・・  履歴ファイル
Ａ  画像形成システム
Ｎ  ネットワーク
【図１】
2008305155.tif 000003
【図２】
2008305155.tif 000004
【図３】
2008305155.tif 000005
【図４】
2008305155.tif 000006
【図５】
2008305155.tif 000007
【図６】
2008305155.tif 000008
【図７】
2008305155.tif 000009